(57)【特許請求の範囲】
【請求項１】
機器と、前記機器が利用する物理量の計測値を収集する収集装置とが接続されたネットワークに含まれる通信装置であって、
前記機器が利用する物理量を計測する、前記機器に接続されているセンサである接続センサと、前記機器が利用する物理量を計測する、前記機器に接続されていないセンサである非接続センサとのうちのいずれかが指定され、指定されているセンサの計測値を前記収集装置へ送信するよう前記機器に要求する、前記収集装置から前記機器に対して送信された計測値送信要求を受信する受信部と、
前記計測値送信要求で前記非接続センサが指定されているか否かを判定するセンサ判定部と、
前記センサ判定部により、前記計測値送信要求で前記非接続センサが指定されていると判定された場合に、前記非接続センサから前記非接続センサの計測値を取得する計測値取得部と、
前記計測値送信要求に対する応答として、前記計測値取得部により取得された前記非接続センサの計測値を前記収集装置に対して送信する送信部とを有することを特徴とする通信装置。
【請求項２】
前記機器は、
前記計測値送信要求で前記接続センサが指定されていない場合は、前記計測値送信要求に対して応答せず、前記計測値送信要求で前記接続センサが指定されている場合は、前記計測値送信要求に対する応答として、前記接続センサの計測値を前記収集装置に対して送信し、
前記通信装置は、更に、
前記機器による前記収集装置への応答状況を監視し、前記機器から応答がなかった計測値送信要求で指定されていたセンサが非接続センサであると識別する応答状況監視部を有し、
前記センサ判定部は、
前記応答状況監視部により識別された非接続センサが前記計測値送信要求で指定されているか否かを判定することを特徴とする請求項１に記載の通信装置。
【請求項３】
前記機器は、
前記計測値送信要求を受信した場合に、前記計測値送信要求を受信したことを通知する受信確認通知を前記収集装置に対して送信し、
前記受信部は、
前記計測値送信要求を受信した後に、前記機器から前記収集装置に対して送信された前記受信確認通知を受信し、
前記センサ判定部は、
前記受信部により前記受信確認通知が受信された後に、前記計測値送信要求で前記非接続センサが指定されているか否かを判定することを特徴とする請求項１に記載の通信装置。
【請求項４】
前記センサ判定部は、
前記受信部により前記受信確認通知が受信されない場合は、前記計測値送信要求で前記非接続センサが指定されているか否かを判定しないことを特徴とする請求項３に記載の通信装置。
【請求項５】
機器と、前記機器が利用する物理量の計測値を収集する収集装置とが接続されたネットワークに含まれるコンピュータが、
前記機器が利用する物理量を計測する、前記機器に接続されているセンサである接続センサと、前記機器が利用する物理量を計測する、前記機器に接続されていないセンサである非接続センサとのうちのいずれかが指定され、指定されているセンサの計測値を前記収集装置へ送信するよう前記機器に要求する、前記収集装置から前記機器に対して送信された計測値送信要求を受信し、
前記計測値送信要求で前記非接続センサが指定されているか否かを判定し、
前記計測値送信要求で前記非接続センサが指定されていると判定した場合に、前記非接続センサから前記非接続センサの計測値を取得し、
前記計測値送信要求に対する応答として、取得した前記非接続センサの計測値を前記収集装置に対して送信することを特徴とする通信方法。
【請求項６】
機器と、前記機器が利用する物理量の計測値を収集する収集装置とが接続されたネットワークに含まれるコンピュータに、
前記機器が利用する物理量を計測する、前記機器に接続されているセンサである接続センサと、前記機器が利用する物理量を計測する、前記機器に接続されていないセンサである非接続センサとのうちのいずれかが指定され、指定されているセンサの計測値を前記収集装置へ送信するよう前記機器に要求する、前記収集装置から前記機器に対して送信された計測値送信要求を受信する受信処理と、
前記計測値送信要求で前記非接続センサが指定されているか否かを判定するセンサ判定処理と、
前記センサ判定処理により、前記計測値送信要求で前記非接続センサが指定されていると判定された場合に、前記非接続センサから前記非接続センサの計測値を取得する計測値取得処理と、
前記計測値送信要求に対する応答として、前記計測値取得処理により取得された前記非接続センサの計測値を前記収集装置に対して送信する送信処理とを実行させることを特徴とするプログラム。
【発明の詳細な説明】
【技術分野】
【０００１】
本発明は、センサの計測値を利用するシステムに関する。
【背景技術】
【０００２】
以下では、センサの計測値を利用するシステムの例として、ビル用空気調和システムを用いて説明を行う。
ビル用空気調和システムでは、システムコントローラ、室外機、室内機がネットワークに接続されている。
システムコントローラは、空間の空気調和制御を行うために、室外機、室内機の管理・制御を行っている。
システムコントローラは、きめ細かい空気調和制御のために、センサで計測された温度（例えば、室内機の吸い込み空気の温度）を利用する。
今後、更なる省エネルギー制御や細やかな快適制御の実現のためには、より多くのセンサ情報の収集、センサの設置場所の自由度の向上が必要である。
空気調和制御のために、複数のセンサで計測された温度情報を用いる技術として、例えば、特許文献１に記載の技術がある。
【先行技術文献】
【特許文献】
【０００３】
【特許文献１】特開２０１２−０１３３１１号公報
【発明の概要】
【発明が解決しようとする課題】
【０００４】
特許文献１では、各室内機に、温度センサが搭載されている。
また、各室内機に情報供与装置が接続されている。
各情報供与装置には、複数の温度センサが搭載されおり、情報供与装置の複数の温度センサによる温度情報が情報供与装置から室内機に供与される。【０００５】
特許文献１では、各室内機に情報供与装置を接続する必要があり、システム構成が複雑になってしまう。
また、室内機に、情報供与装置と接続するための回路を追加する必要がある。
更に、室内機に、室内機に搭載された温度センサからの温度情報と、情報供与装置から供与された温度情報との間の選択を行う機能を追加する必要がある。【０００６】
本発明は、このような事情に鑑みたものであり、システム構成を複雑にすることなく、また、機器に特別な回路や機能を追加することなく、複数のセンサの計測値を利用できる構成を実現することを主な目的とする。
【課題を解決するための手段】
【０００７】
本発明に係る通信装置は、
機器と、前記機器が利用する物理量の計測値を収集する収集装置とが接続されたネットワークに含まれる通信装置であって、
前記機器が利用する物理量を計測する、前記機器に接続されているセンサである接続センサと、前記機器が利用する物理量を計測する、前記機器に接続されていないセンサである非接続センサとのうちのいずれかが指定され、指定されているセンサの計測値を前記収集装置へ送信するよう前記機器に要求する、前記収集装置から前記機器に対して送信された計測値送信要求を受信する受信部と、
前記計測値送信要求で前記非接続センサが指定されているか否かを判定するセンサ判定部と、
前記センサ判定部により、前記計測値送信要求で前記非接続センサが指定されていると判定された場合に、前記非接続センサから前記非接続センサの計測値を取得する計測値取得部と、
前記計測値送信要求に対する応答として、前記計測値取得部により取得された前記非接続センサの計測値を前記収集装置に対して送信する送信部とを有することを特徴とする。
【発明の効果】
【０００８】
本発明では、計測値送信要求で非接続センサが要求されていれば、通信装置が非接続センサから計測値を取得して収集装置に非接続センサの計測値を送信する。
このため、本発明によれば、機器ごとに情報提供装置を接続する必要がなく、システム構成を複雑にすることなく、また、機器に特別な回路や機能を追加することなく、センサの計測値を利用することができる。
【図面の簡単な説明】
【０００９】
【図１】実施の形態１に係るシステム構成例を示す図。
【図２】実施の形態１に係るアドレスの割当て例を示す図。
【図３】実施の形態１に係るゲートウェイ装置が保持する管理テーブルの例を示す図。
【図４】実施の形態１に係るセンサ１−Ａの計測値を収集する手順を示すフローチャート図。
【図５】実施の形態１に係るセンサ１−Ｂの計測値を収集する手順を示すフローチャート図。
【図６】実施の形態１に係るセンサ１−Ｂの計測値を収集する手順を示すフローチャート図。
【図７】実施の形態１に係るゲートウェイ装置の機能構成例を示す図。
【図８】実施の形態１に係るゲートウェイ装置のハードウェア構成例を示す図。
【発明を実施するための形態】
【００１０】
実施の形態１．
以下にて、本実施の形態に係るセンサ情報収集システムを説明する。
本実施の形態では、空気調和の目的のためにセンサ情報を収集するセンサ情報収集システムを説明する。
【００１１】
図１は、本実施の形態に係るセンサ情報収集システムの構成例を示す。
本実施の形態に係るセンサ情報収集システムでは、空気調和ネットワーク（１００）として、システムコントローラ（１０１）、室外機（１０２）、室内機１（１１１）、室内機２（１１２）、ゲートウェイ装置（１０３）が専用の通信線で接続されている。
室外機（１０２）、室内機１（１１１）、室内機２（１１２）は、それぞれ機器ともいう。
また、システムコントローラ（１０１）は収集装置の例に相当し、ゲートウェイ装置（１０３）は通信装置の例に相当する。
【００１２】
室内機１（１１１）は、吸い込み空気の温度を室内温度として検出する専用のセンサ１−Ａ（１２１）と直接接続されている。
また、室内機２（１１２）も、吸い込み空気の温度を室内温度として検出する専用のセンサ２−Ａ（１２２）と直接接続されている。
また、空気調和制御の対象の空間である対象空間内に、無線通信が可能なセンサ１−Ｂ（１２３）、センサ１−Ｃ（１２４）が設置されている。
センサ１−Ｂ（１２３）、センサ１−Ｃ（１２４）は、室内機１（１１１）が利用する温度を計測する。
例えば、センサ１−Ｂ（１２３）、センサ１−Ｃ（１２４）は、室内機１（１１１）の近傍に配置されており、吸い込み空気の温度以外の室内機１（１１１）が利用する温度を計測する。
同様に、対象空間内に、無線通信が可能なセンサ２−Ｂ（１２５）、センサ２−Ｃ（１２６）が設置されている。
センサ２−Ｂ（１２５）、センサ２−Ｃ（１２６）は、室内機２（１１２）が利用する温度を計測する。
例えば、センサ２−Ｂ（１２５）、センサ２−Ｃ（１２６）は、室内機２（１１２）の近傍に配置されており、吸い込み空気の温度以外の室内機２（１１２）が利用する温度を計測する。
センサ１−Ａ（１２１）及びセンサ２−Ａ（１２２）は接続センサの例に相当し、センサ１−Ｂ（１２３）、センサ１−Ｃ（１２４）、センサ２−Ｂ（１２５）及びセンサ２−Ｃ（１２６）は非接続センサの例に相当する。
また、センサ１−Ｂ（１２３）、センサ１−Ｃ（１２４）、センサ２−Ｂ（１２５）及びセンサ２−Ｃ（１２６）は追加センサという。
【００１３】
ゲートウェイ装置（１０３）は、空気調和ネットワーク（１００）に含まれていることに加えて、センサ１−Ｂ（１２３）、センサ１−Ｃ（１２４）、センサ２−Ｂ（１２５）、センサ２−Ｃ（１２６）と無線により通信が可能であり、センサ１−Ｂ（１２３）、センサ１−Ｃ（１２４）、センサ２−Ｂ（１２５）、センサ２−Ｃ（１２６）から温度情報を収集する。
なお、ゲートウェイ装置（１０３）は、単に、ゲートウェイとも表記する。
【００１４】
次に、図２を参照して、空気調和ネットワーク（１００）におけるアドレスの割当て例を説明する。
【００１５】
空気調和ネットワーク（１００）内で通信を行うために、システムコントローラ（１０１）、室外機（１０２）、室内機１（１１１）、室内機２（１１２）に、それぞれ固有のアドレスが割り当てられている。
具体的には、システムコントローラ（１０１）には、アドレス＝０が割当てられている。
また、室外機（１０２）には、アドレス＝１００が割当てられている。
また、室内機１（１１１）には、アドレス＝１が割当てられている。
室内機２（１１２）には、アドレス＝２が割当てられている。
なお、ゲートウェイ装置（１０３）には、アドレスが割当てられていない。
【００１６】
空気調和システムでは、システムコントローラ（１０１）が設定した設定温度と、センサ１−Ａ（１２１）、センサ２−Ａ（１２２）から取得した室内温度をもとに、システムコントローラ（１０１）は、室外機（１０２）と連携して、対象空間の空気調和制御を行う。
また、システムコントローラ（１０１）は、センサ１−Ａ（１２１）、センサ２−Ａ（１２２）の温度情報を使い、空気調和システム全体の省エネルギー運転を行うための統合制御を行う。
また、システムコントローラ（１０１）は、空気調和制御及び統合制御のために、センサ１−Ｂ（１２３）、センサ１−Ｃ（１２４）、センサ２−Ｂ（１２５）及びセンサ２−Ｃ（１２６）の温度情報を利用することもできる。
なお、システムコントローラ（１０１）は、センサ１−Ｂ（１２３）、センサ１−Ｃ（１２４）が室内機１（１１１）に接続されていないということを認識していない。
このため、システムコントローラ（１０１）は、センサ１−Ａ（１２１）からの温度情報の送信を要求する要求フレーム、センサ１−Ｂ（１２３）からの温度情報の送信を要求する要求フレーム、センサ１−Ｃ（１２４）からの温度情報の送信を要求する要求フレームの全てを室内機１（１１１）に対して送信する。
そして、センサ１−Ａ（１２１）の温度情報は、室内機１（１１１）がシステムコントローラ（１０１）に送信し、センサ１−Ｂ（１２３）の温度情報及びセンサ１−Ｃ（１２４）の温度情報は、ゲートウェイ装置（１０３）がシステムコントローラ（１０１）に送信する。
同様に、システムコントローラ（１０１）は、センサ２−Ｂ（１２５）、センサ２−Ｃ（１２６）が室内機２（１１２）に接続されていないということを認識していない。
このため、システムコントローラ（１０１）は、センサ２−Ａ（１２２）からの温度情報の送信を要求する要求フレーム、センサ２−Ｂ（１２５）からの温度情報の送信を要求する要求フレーム、センサ２−Ｃ（１２６）からの温度情報の送信を要求する要求フレームの全てを室内機２（１１２）に対して送信する。
そして、センサ２−Ａ（１２２）の温度情報は、室内機２（１１２）がシステムコントローラ（１０１）に送信し、センサ２−Ｂ（１２５）の温度情報及びセンサ２−Ｃ（１２６）の温度情報は、ゲートウェイ装置（１０３）がシステムコントローラ（１０１）に送信する。
【００１７】
次に、システムコントローラ（１０１）（アドレス＝０）が室内機１（１１１）（アドレス＝１）からセンサ１−Ａ（１２１）の温度情報を取得する手順を詳述する。
【００１８】
１）システムコントローラ（１０１）が、室内機１（１１１）に接続されたセンサ１−Ａ（１２１）から温度情報を取得するための要求フレームを空気調和ネットワーク（１００）に送信する。
要求フレームは、計測値送信要求の例に相当する。
なお、この要求フレームでは、ＳｒｃＡｄｄｒ（送信元アドレス）＝０、ＤｓｔＡｄｄｒ（送信先アドレス）＝１がヘッダ部分に記述されている。
２）室内機１（１１１）は、要求フレームを受信し、到達確認フレーム（ＡＣＫ）をシステムコントローラ（１０１）に送信する。
到達確認フレーム（ＡＣＫ）は、室内機１（１１１）が要求フレームを受信したことをシステムコントローラ（１０１）に通知する通信フレームであり、受信確認通知の例に相当する。
３）システムコントローラ（１０１）は、到達確認フレーム（ＡＣＫ）の受信により、要求フレームが室内機１（１１１）に到達したと認識する。
４）室内機１（１１１）は、センサ１−Ａ（１２１）から温度情報を取得し、空気調和ネットワーク（１００）に応答フレームを送信する。
この応答フレームでは、ヘッダ部分にＳｒｃＡｄｄｒ＝１、ＤｓｔＡｄｄｒ＝０が記述され、また、ペイロード部分にセンサ１−Ａ（１２１）の温度情報が記述される。
５）システムコントローラ（１０１）は、応答フレームを受信し、到達確認フレーム（ＡＣＫ）を室内機１（１１１）に送信する。
【００１９】
次に、ゲートウェイ装置（１０３）を説明する。
【００２０】
ゲートウェイ装置（１０３）は、追加センサと室内機との対応付けが示される管理テーブル（図３）を予め保持している。
管理テーブルでは、図３に示すように、室内機１（１１１）と、センサ１−Ｂ（１２３）、センサ１−Ｃ（１２４）とが対応付けられ、室内機２（１１２）と、センサ２−Ｂ（１２５）、センサ２−Ｃ（１２６）とが対応付けられていることが示される。
ゲートウェイ装置（１０３）は、固有のアドレスを持たないため、ゲートウェイ装置（１０３）宛の通信フレームを受信することはない。
ゲートウェイ装置（１０３）は、空気調和ネットワーク（１００）内で送受信される通信フレームを全てモニタリングする。
また、ゲートウェイ装置（１０３）は、追加センサの温度情報を無線通信により収集する。
【００２１】
図７は、ゲートウェイ装置（１０３）の機能構成例を示す。
【００２２】
図７において、ネットワーク通信部（１０３１）は、空気調和ネットワーク（１００）と通信を行う。
より具体的には、ネットワーク通信部（１０３１）は、システムコントローラ（１０１）から室内機１（１１１）への要求フレーム及び到達確認フレーム（ＡＣＫ）、システムコントローラ（１０１）から室内機２（１１２）への要求フレームを及び到達確認フレーム（ＡＣＫ）を受信する。
同様に、ネットワーク通信部（１０３１）は、室内機１（１１１）からシステムコントローラ（１０１）への応答フレーム及び到達確認フレーム（ＡＣＫ）、室内機２（１１２）からシステムコントローラ（１０１）への応答フレーム及び到達確認フレーム（ＡＣＫ）を受信する。
また、システムコントローラ（１０１）からの要求フレームが追加センサの温度情報の送信を要求している場合は、追加センサの温度情報が記述される応答フレームを、システムコントローラ（１０１）に対して送信する。
ネットワーク通信部（１０３１）は、受信部及び送信部の例に相当する。
【００２３】
センサ通信部（１０３２）は、追加センサとの無線通信を行う。
より具体的には、センサ通信部（１０３２）は、追加センサに対し温度情報の送信を指示する指示フレームを送信し、温度情報を通知する通知フレームを追加センサから受信する。
センサ通信部（１０３２）は、後述するフレーム生成部（１０３４）とともに計測値取得部の例に相当する。
【００２４】
フレーム解析部（１０３３）は、ネットワーク通信部（１０３１）が受信した要求フレームを解析し、要求フレームで指定されているセンサがいずれのセンサであるかを判定する。
要求フレームで指定されているセンサがセンサ１−Ａ（１２１）又はセンサ２−Ａ（１２２）であれば、フレーム解析部（１０３３）は、以後は処理を行わない。
一方、要求フレームで指定されているセンサがセンサ１−Ｂ（１２３）、センサ１−Ｂ（１２３）、センサ２−Ｂ（１２５）及びセンサ２−Ｃ（１２６）のいずれかであれば、フレーム解析部（１０３３）は、フレーム生成部（１０３４）に指示フレームの生成を指示する。
フレーム解析部（１０３３）は、センサ判定部の例に相当する。
【００２５】
フレーム生成部（１０３４）は、通信フレームを生成する。
より具体的には、フレーム解析部（１０３３）から指示フレームの生成を指示された場合は、指示フレームを生成し、生成した指示フレームをセンサ通信部（１０３２）に渡す。
また、センサ通信部（１０３２）が追加センサから通知フレームを受信した場合は、通知フレームに含まれる温度情報が記述される応答フレームを生成する。
フレーム生成部（１０３４）は、センサ通信部（１０３２）とともに、計測値取得部の例に相当する。
【００２６】
管理テーブル記憶部（１０３５）は、図３に例示した管理テーブルを記憶する。
【００２７】
次に、システムコントローラ（１０１）が室内機１（１１１）から温度情報を取得するときの動作例を、図４のフローチャートを参照して説明する。
ここでは、システムコントローラ（１０１）が室内機１（１１１）からセンサ１−Ａ（１２１）の温度情報を取得するときの動作例を説明する。
【００２８】
先ず、ステップ４０１において、システムコントローラ（１０１）が、センサ１−Ａ（１２１）の温度情報を取得するために、ヘッダ部分にＳｒｃＡｄｄｒ＝０、ＤｓｔＡｄｄｒ＝１が記述された要求フレームを生成する。
【００２９】
次に、ステップ４０２において、システムコントローラ（１０１）は、要求フレームを空気調和ネットワーク（１００）に送信する。
例えば、システムコントローラ（１０１）は、要求フレームを同報送信する。
【００３０】
次に、ステップ４０３において、室内機１（１１１）は要求フレームを受信する。
【００３１】
次に、ステップ４０４において、室内機１（１１１）は、到達確認フレーム（ＡＣＫ）を空気調和ネットワーク（１００）に送信する。
【００３２】
また、ステップ４０３と並行して、ステップ４０５において、ゲートウェイ装置（１０３）のネットワーク通信部（１０３１）が要求フレームを受信する。
そして、フレーム解析部（１０３３）が要求フレームを解析するが、センサ１−Ａ（１２１）に対する要求フレームであるため、何もしない。
【００３３】
次に、ステップ４０６において、システムコントローラ（１０１）は、到達確認フレーム（ＡＣＫ）を受信し、要求フレームが室内機１（１１１）へ届いたことを確認する。
【００３４】
次に、ステップ４０７において、室内機１（１１１）は、センサ１−Ａ（１２１）から温度情報を取得する。
【００３５】
次に、ステップ４０８において、室内機１（１１１）は、ヘッダ部分にＳｒｃＡｄｄｒ＝１、ＤｓｔＡｄｄｒ＝０が記述され、ペイロード部分に温度情報が記述された応答フレームを生成する。
【００３６】
次に、ステップ４０９において、室内機１（１１１）は、応答フレームを空気調和ネットワーク（１００）に送信する。
【００３７】
次に、ステップ４１０において、システムコントローラ（１０１）は、応答フレームを受信する。
【００３８】
次に、ステップ４１１において、システムコントローラ（１０１）は、到達確認フレーム（ＡＣＫ）を空気調和ネットワーク（１００）に送信する。
【００３９】
次に、ステップ４１２において、室内機１（１１１）は、到達確認フレーム（ＡＣＫ）を受信する。
【００４０】
最後に、ステップ４１３において、システムコントローラ（１０１）は、受信した応答フレームから取得した温度情報をもとに、空気調和制御を行う。
【００４１】
次に、システムコントローラ（１０１）がゲートウェイ装置（１０３）から温度情報を取得するときの動作例を、図５及び図６のフローチャートを参照して説明する。
ここでは、システムコントローラ（１０１）がゲートウェイ装置（１０３）からセンサ１−Ｂ（１２３）の温度情報を取得するときの動作例を説明する。
【００４２】
先ず、ステップ５０１において、システムコントローラ（１０１）が、センサ１−Ｂ（１２３）の温度情報を取得するために、ヘッダ部分にＳｒｃＡｄｄｒ＝０、ＤｓｔＡｄｄｒ＝１が記述された要求フレーム生成する。
【００４３】
次に、ステップ５０２において、システムコントローラ（１０１）は、要求フレームを空気調和ネットワーク（１００）に送信する。
例えば、システムコントローラ（１０１）は、要求フレームを同報送信する。
【００４４】
次に、ステップ５０３において、室内機１（１１１）は要求フレームを受信する。
【００４５】
次に、ステップ５０４において、室内機１（１１１）は、到達確認フレーム（ＡＣＫ）を空気調和ネットワーク（１００）に送信する。
【００４６】
次に、ステップ５０５において、システムコントローラ（１０１）は、到達確認フレーム（ＡＣＫ）を受信し、要求フレームが室内機１（１１１）へ届いたこと確認する。
【００４７】
次に、ステップ５０６において、室内機１（１１１）は、センサ１−Ｂ（１２３）に接続されていないため、何もしない。
【００４８】
ステップ５０３と並行して、ステップ５０７において、ゲートウェイ装置（１０３）のネットワーク通信部（１０３１）が、室内機１（１１１）宛の要求フレームを受信する。
【００４９】
次に、ステップ５０８において、ゲートウェイ装置（１０３）のフレーム解析部（１０３３）は、ゲートウェイ装置（１０３）の管理下にセンサ１−Ｂ（１２３）が存在するか否かを確認する。
つまり、フレーム解析部（１０３３）は、管理テーブル（図３）にセンサ１−Ｂ（１２３）が含まれているか否かを判断する。
ゲートウェイ装置（１０３）の管理下にセンサ１−Ｂ（１２３）が存在する場合（ステップ５０３でＹＥＳ）は、処理をステップ５０９へ進める。
一方、ゲートウェイ装置（１０３）の管理下にセンサ１−Ｂ（１２３）が存在しない場合（ステップ５０３でＮＯ）は、処理をステップ５１７へ進める。
【００５０】
ステップ５０９では、ゲートウェイ装置（１０３）は、追加センサであるセンサ１−Ｂ（１２３）から無線通信により、温度情報を取得する。
より具体的には、フレーム生成部（１０３４）がセンサ１−Ｂ（１２３）宛ての指示フレームを生成し、センサ通信部（１０３２）が指示フレームをセンサ１−Ｂ（１２３）に送信する。
更に、センサ通信部（１０３２）が、センサ１−Ｂ（１２３）から通知フレームを受信する。
【００５１】
次に、ステップ５１０において、ゲートウェイ装置（１０３）のフレーム生成部（１０３４）が、ヘッダ部分にＳｒｃＡｄｄｒ＝１、ＤｓｔＡｄｄｒ＝０が記述され、ペイロード部分に温度情報が記述される応答フレームを生成する。
【００５２】
次に、ステップ５１１において、ゲートウェイ装置（１０３）のネットワーク通信部（１０３１）が、応答フレームを空気調和ネットワーク（１００）に送信する。
【００５３】
次に、ステップ５１２において、システムコントローラ（１０１）は、応答フレームを受信する。
【００５４】
次に、ステップ５１３において、システムコントローラ（１０１）は、ヘッダ部分にＳｒｃＡｄｄｒ＝０、ＤｓｔＡｄｄｒ＝１が記述された到達確認フレーム（ＡＣＫ）を空気調和ネットワーク（１００）に送信する。
【００５５】
次に、ステップ５１４において、室内機１（１１１）は、システムコントローラ（１０１）からの到達確認フレーム（ＡＣＫ）を受信する。
【００５６】
また、ステップ５１５において、ゲートウェイ装置（１０３）のネットワーク通信部（１０３１）は、室内機１（１１１）への到達確認フレーム（ＡＣＫ）を受信し、正常にシステムコントローラ（１０１）が応答フレームを受信したと認識する。
【００５７】
次に、ステップ５１６において、システムコントローラ（１０１）は、受信した応答フレームから取得した温度情報を元に、空気調和制御を行う。
【００５８】
ステップ５１７では、ゲートウェイ装置（１０３）は、システムコントローラ（１０１）へエラーを通知するために、送信元アドレスを室内機１（１１１）としてエラーフレームを送信する。
つまり、フレーム生成部（１０３４）がエラーフレームを生成し、ネットワーク通信部（１０３１）がエラーフレームをシステムコントローラ（１０１）に対して送信する。
【００５９】
次に、ステップ５１８において、システムコントローラ（１０１）は、エラーフレームを受信する。
【００６０】
次に、ステップ５１９において、システムコントローラ（１０１）は、室内機１宛の到達確認フレーム（ＡＣＫ）を空気調和ネットワーク（１００）に送信する。
【００６１】
次に、ステップ５２０において、室内機１（１１１）は、システムコントローラ（１０１）からの到達確認フレーム（ＡＣＫ）を受信する。
【００６２】
上記のように、実施の形態によれば、ゲートウェイ装置（１０３）が複数の室内機に対応付けられたセンサを管理し、要求フレームに対して室内機の代理で応答フレームを送信する。
これにより、システムコントローラ（１０１）において多数のセンサの情報を収集することが可能となる。
また、室内機に追加センサ（無線センサ）と接続するための専用の回路や、特別な処理をするプログラムを追加することなく追加センサの情報を収集することが可能となる。
【００６３】
また、本実施の形態では、ゲートウェイ装置（１０３）は、室内機からシステムコントローラ（１０１）へ到達確認フレームが送信されたこと（ステップ５０４）を確認せずに、追加センサの温度情報をシステムコントローラ（１０１）に応答している。
これに対し、ゲートウェイ装置（１０３）が、室内機からシステムコントローラ（１０１）へ到達確認フレームが送信されたこと（ステップ５０４）を確認してから、追加センサの温度情報をシステムコントローラ（１０１）に応答するようにしてもよい。
このような手順をとる場合は、室内機がステップ５０４の到達確認フレームの送信を行わないようにすれば、ゲートウェイ装置（１０３）から追加センサの温度情報の通知が行われなくなり、追加センサを無効化することができる。
【００６４】
また、本実施の形態では、ゲートウェイ装置（１０３）が管理する追加センサは、無線センサとしているが、ゲートウェイ装置（１０３）と有線接続されたセンサであってもよい。
【００６５】
また、本実施の形態では、ゲートウェイ装置（１０３）が図３のような管理テーブルを予め保持している例を説明したが、ゲートウェイ装置（１０３）が動的に管理テーブルを生成するようにしてもよい。
例えば、図７の構成に、室内機によるシステムコントローラ（１０１）への応答フレームの送信状況を監視し、室内機から応答フレームが送信されなかった要求フレームで指定されていたセンサが非接続センサであると識別する応答状況監視部を追加する。
例えば、システムコントローラ（１０１）がセンサ１−Ａを指定した要求フレームを送信した場合は、室内機１（１１１）が応答フレームを送信するため（ステップ４０９）、応答状況監視部は、センサ１−Ａは接続センサであると識別する。
一方、システムコントローラ（１０１）がセンサ１−Ｂを指定した要求フレームを送信した場合は、室内機１（１１１）は応答フレームを送信しないため（ステップ５０６）、応答状況監視部は、ステップ５０７の後、所定時間が経過してもネットワーク通信部（１０３１）が応答フレームを受信しない場合は、センサ１−Ｂは非接続センサであると識別する。
そして、応答状況監視部は、非接続センサであると識別したセンサ１−Ｂを、室内機１（１１１）に対応付けて管理テーブルに追加する。
フレーム解析部（１０３３）は、ネットワーク通信部（１０３１）が要求フレームを受信する度に、管理テーブルを参照して、要求フレームで指定されているセンサが、応答状況監視部により識別された非接続センサであるか否かを判定する。
【００６６】
また、本実施の形態では、空気調和の目的でセンサの計測値を利用する例を説明したが、空気調和以外の目的でセンサの計測値を利用するようにしてもよい。
【００６７】
また、本実施の形態では、温度を計測するセンサを用いる例を説明したが、温度以外の物理量を計測するセンサを用いるようにしてもよい。
【００６８】
最後に、本実施の形態に示したゲートウェイ装置（１０３）のハードウェア構成例を図８を参照して説明する。
ゲートウェイ装置（１０３）はコンピュータであり、ゲートウェイ装置（１０３）の各要素をプログラムで実現することができる。
ゲートウェイ装置（１０３）のハードウェア構成としては、バスに、演算装置９０１、外部記憶装置９０２、主記憶装置９０３、通信装置９０４、入出力装置９０５が接続されている。
【００６９】
演算装置９０１は、プログラムを実行するＣＰＵ（Ｃｅｎｔｒａｌ  Ｐｒｏｃｅｓｓｉｎｇ  Ｕｎｉｔ）である。
外部記憶装置９０２は、例えばＲＯＭ（Ｒｅａｄ  Ｏｎｌｙ  Ｍｅｍｏｒｙ）やフラッシュメモリ、ハードディスク装置である。
主記憶装置９０３は、ＲＡＭ（Ｒａｎｄｏｍ  Ａｃｃｅｓｓ  Ｍｅｍｏｒｙ）である。
管理テーブル記憶部（１０３５）は、外部記憶装置９０２又は主記憶装置９０３により実現される。
通信装置９０４は、ネットワーク通信部（１０３１）及びセンサ通信部（１０３２）の物理層に対応する。
入出力装置９０５は、例えばマウス、キーボード、ディスプレイ装置等である。
【００７０】
プログラムは、通常は外部記憶装置９０２に記憶されており、主記憶装置９０３にロードされた状態で、順次演算装置９０１に読み込まれ、実行される。
プログラムは、図１に示す「〜部」（但し、管理テーブル記憶部（１０３５）を除く、以下も同様）として説明している機能を実現するプログラムである。
更に、外部記憶装置９０２にはオペレーティングシステム（ＯＳ）も記憶されており、ＯＳの少なくとも一部が主記憶装置９０３にロードされ、演算装置９０１はＯＳを実行しながら、図１に示す「〜部」の機能を実現するプログラムを実行する。
また、本実施の形態の説明において、「〜の判断」、「〜の判定」、「〜の解析」、「〜の生成」、「〜の取得」、「〜の監視」、「〜の識別」、「〜の抽出」、「〜の設定」、「〜の登録」、「〜の選択」、「〜の受信」等として説明している処理の結果を示す情報やデータや信号値や変数値が主記憶装置９０３にファイルとして記憶されている。
【００７１】
なお、図８の構成は、あくまでもゲートウェイ装置（１０３）のハードウェア構成の一例を示すものであり、ゲートウェイ装置（１０３）のハードウェア構成は図８に記載の構成に限らず、他の構成であってもよい。
【００７２】
また、本実施の形態に示す手順により、本発明に係る通信方法を実現可能である。
【符号の説明】
【００７３】
１００  空気調和ネットワーク、１０１  システムコントローラ、１０２  室外機、１０３  ゲートウェイ装置、１１１  室内機１、１１２  室内機２、１２１  センサ１−Ａ、１２２  センサ２−Ａ、１２３  センサ１−Ｂ、１２４  センサ１−Ｃ、１２５  センサ２−Ｂ、１２６  センサ２−Ｃ、１０３１  ネットワーク通信部、１０３２  センサ通信部、１０３３  フレーム解析部、１０３４  フレーム生成部、１０３５  管理テーブル記憶部。
【図１】
0005933142.tif 000002
【図２】
0005933142.tif 000003
【図３】
0005933142.tif 000004
【図４】
0005933142.tif 000005
【図５】
0005933142.tif 000006
【図６】
0005933142.tif 000007
【図７】
0005933142.tif 000008
【図８】
0005933142.tif 000009